(57)【要約】【課題】ランナーへの負荷が小さく、したがって高齢者や運動を制限されている者でも安心して運動を行うことができるランニングマシンを提供する。【解決手段】回転駆動される無端ベルトの一部分をランナーが走行する走行面とするランニングマシンにおいて、前記走行面は、ランナーの進行する方向に向って下り坂となるように傾斜していることを特徴とする。【選択図】      図１
2006158830.tif 000002
【特許請求の範囲】
【請求項１】
回転駆動される無端ベルトの一部分をランナーが走行する走行面とするランニングマシンにおいて、
前記走行面は、前記無端ベルトの移動方向に関して上流側に向かって下り坂となるように傾斜していることを特徴とするランニングマシン。
【請求項２】
請求項１に記載のランニングマシンにおいて、走行面の傾斜の角度は、水平位置を０°としたときに０°≦１０°であることを特徴とするランニングマシン。
【請求項３】
請求項１又は２に記載のランニングマシンにおいて、走行面の傾斜の角度は、調整自在に設けられていることを特徴とするランニングマシン。
【請求項４】
請求項１〜３のいずれかに記載のランニングマシンにおいて、無端ベルトの回転速度は、調整可能に構成されていることを特徴とするランニングマシン。
【請求項５】
請求項１〜４のいずれかに記載のランニングマシンにおいて、無端ベルトの走行面となる部分を載置するガイド板の表面には、その無端ベルトの移動方向に沿って伸びる断面Ｖ字状の溝が設けられていることを特徴とするランニングマシン。
【発明の詳細な説明】
【技術分野】
【０００１】
本発明はランニングマシンに係り、特に、ランナーに大きな負担を掛けることなく運動効果が得られるようにしたもので、高齢者に好適なものに関する。
【背景技術】
【０００２】
従来、この種のランニングマシンは、モータによって回転駆動される無端ベルトの一部分をランナーが走行する走行面に形成して構成されている（特許文献１，２参照）。すなわち、この従来のランニングマシンは、平面形状が長方形状の扁平な板材からなるガイド板と、そのガイド板の上下の面を覆い、かつ、そのガイド板の長手方向を巻回するように設けられた無端ベルトと、その無端ベルトを回転駆動するモータとから構成されている。  
【０００３】
上記従来のランニングマシンは、ガイド板の上面が水平状態に保たれ、無端ベルトがモータによって回転駆動されると、そのガイド板の上面に位置する無端ベルトの部分が走行面となり、ランナーはその走行面を走行することができる。
【特許文献１】特開２００２−８５５８６号公報
【特許文献２】特開平９−３１３６３８号公報
【発明の開示】
【発明が解決しようとする課題】
【０００４】
しかしながら、上記従来のランニングマシンは、運動選手等の健常者のトレーニングマシンとして用いられるもので、ランナーが走行する走行面は水平に保たれ、ランナーはその走行面を回転駆動する無端ベルトの搬送速度に合わせて走行し、ランナーに加わる負荷を増大させてトレーニング効果を得るようにしている。したがって、従来のランニングマシンは、高齢者やリハビリテーションを受ける者には不向きであるばかりでなく、心臓等の循環器系に障害を持つ者も負荷がかかり過ぎて使用することができないという問題点を有していた。また、近年の高齢化社会の到来により、自立不能な高齢者、いわゆる寝たきり老人の数を減少させることは急務であり、このため、高齢者の脚力を高めることのできるランニングマシンの出現が望まれていた。
【０００５】
そこで、本発明は、上記欠点を解決するとともに、上記要望に応えるためになされたものであって、その目的は、階段を下る際のエネルギー消費量が階段を上る際のエネルギー消費量又は平坦面を歩行する際のエネルギー消費量より少なくてすむという基本的な考えに基づいて、ランナーに加わる負荷を最少にして筋力アップに資することのできるランニングマシンを提供することにある。
【課題を解決するための手段】
【０００６】
本発明に係るランニングマシンは、上記目的を達成するために、請求項１に記載の発明は、回転駆動される無端ベルトの一部分をランナーが走行する走行面とするランニングマシンにおいて、前記走行面は、前記無端ベルトの移動方向に関して上流側に向って下り坂となるように傾斜していることを特徴としている。
本発明の請求項２に記載のランニングマシンは、走行面の傾斜の角度が水平位置を０°としたときに０°≦１０°であることを特徴としている。
本発明の請求項３に記載のランニングマシンは、走行面の傾斜の角度が調整自在に設けられていることを特徴としている。
本発明の請求項４に記載のランニングマシンは、無端ベルトの回転速度が調整可能に構成されていることを特徴としている。
本発明の請求項５に記載のランニングマシンは、無端ベルトの走行面となる部分を載置するガイド板の表面には、その無端ベルトの移動方向に沿って伸びる断面Ｖ字状の溝が設けられていることを特徴としている。
【発明の効果】
【０００７】
本発明の請求項１に記載のランニングマシンは、無端ベルトの走行面がその無端ベルトの移動方向に関して上流側に向って下り坂となるように傾斜しているので、ランナーに加わる負荷が小さく、それでいてランナーの筋力の増強ないし筋力の回復を図ることができる。したがって、高齢者やリハビリ中の者等のように、身体に過度な負担を掛けられない者でも安心して利用することができる。
本発明の請求項２に記載のランニングマシンにおいて、走行面の傾斜の角度の範囲は、水平位置を０°としたときに０°≦１０°であるので、ランナーに加わる負荷を小さい範囲に抑えることができる。
本発明の請求項３に記載のランニングマシンにおいて、走行面の傾斜の角度は、調整自在としているので、走行面の傾斜角度をランナーに容易に合わせることができる。
本発明の請求項４に記載のランニングマシンにおいて、無端ベルトの回転速度は、調整可能に構成されているので、走行面の搬送速度をランナーに容易に合わせることができる。
本発明の請求項５に記載のランニングマシンにおいて、無端ベルトの走行面となる部分を載置するガイド板の表面には、その無端ベルトの移動方向に沿って伸びる断面Ｖ字状の溝を設けたので、抵抗を少なくして無端ベルトを移動させることができる。
【発明を実施するための最良の形態】
【０００８】
以下、本発明を実施するための最良の形態を図面に基づいて説明する。図１は、本発明の一実施の形態に係るランニングマシンａの斜視図、図２はその縦断面図、図３はその平面図、図４は図３のＸ−Ｘ線断面図である。
【０００９】
図中、１は合成ゴム又は天然ゴム等の可撓性材からなる無端ベルトであって、平面形状が長方形を呈する偏平なガイド板（走行ベッドと呼ばれることもある。）２の上下の面を覆い、かつ、そのガイド板２の長手方向を巻回するように設けられている。このガイド板２は鋼製からなり、そのガイド板２の長さ（長方形の長辺の長さ）は、大人のランナーの通常の歩幅よりも充分に長く（例えば１５００ｍｍ）、また、そのガイド板２の幅（長方形の短辺の長さ）は、ランナーの走行に支障を来たさない十分な幅（例えば５５０ｍｍ）に決められている。さらに、そのガイド板２の厚さは、大人の体重（例えば８０ｋｇ）に充分に耐えられるように決められている。そして、無端ベルト１の幅は、ガイド板２の幅よりも少し小さく（例えば５００ｍｍ）なるように決められている。この無端ベルト１の張設等については後述する。
【００１０】
なお、本発明でランナーというときは、走行面を走行（ランニング）する人だけでなく、その走行面を歩行ないしウォーキングする人も含み、その中には、リハビリテーションで歩行訓練を受ける人も含まれている。したがって、本発明のランニングマシンは、歩行訓練機をも含んでいる。
【００１１】
上記ガイド板２の上下２面のうち、上方に位置する上面（表面）２ａには、その長手方向に沿って断面がＶ字状を呈した溝３ａ，３ａ…が互いに所定の間隔を保って複数本（図示の例では７本）設けられている。したがって、図２のＡ部に拡大して示されるように、この上面２ａに接する無端ベルト２は、溝３ａ，３ａ…により抵抗を少なくして円滑に摺動することができる。
【００１２】
図中、４ａ，４ｂは鋼製の角柱パイプからなるフレームであって、上記ガイド板２の長辺側の両端側にそれぞれ設けられていて、ガイド板２を補強するとともに、ガイド板２をそのガイド板２の長手方向の両側に設けられている前架台５ａ及び後架台５ｂにそれぞれ取付ける役目を果たしている。
【００１３】
上記前架台５ａ及び後架台５ｂには、互いに所定の間隔を保って複数のアジャスターボルト６，６…が設けられていて、各架台５ａ，５ｂを床面Ｇ（図２参照）に安定して設置できるように工夫されている。これら架台５ａ，５ｂのうち、前架台５ａは、ガイド板２の短辺側を挾むように位置する一対の逆Ｔ字状に構成されたフレーム７ａ，７ｂを有し、これらフレーム７ａ，７ｂの上端部は、パイプ材８を用いて連結されているとともに、そのパイプ材８の下端部は逆Ｔ字状のフレーム７ａ，７ｂの一方側の端部（図示の例では右側の端部）にそれぞれ固定されている。そして、このパイプ材８の上部の両側は、後架台５ｂ側が低くなるように傾斜していて、ランナーの補助手摺８ａ，８ｂにそれぞれ形成されている。
【００１４】
図中、９ａ，９ｂは板材であって、フレーム７ａ，７ｂの底部、すなわち、逆Ｔ字状を呈した長辺と短辺との接続部分の一方側（図示の例では後架台５ｂ側）にそれぞれ設けられている。そして、これら板材９ａ，９ｂには、複数（図示の例では５個）の孔１０，１０…が互いに所定の間隔を保って、かつ、高さを相違してそれぞれ設けられている。これら孔１０，１０の大きさは、頭部につまみを有する角度調整ボルト１１ａ，１１ｂのボルト部分が自由に挿入できるように決められている。これら角度調整ボルト１１ａ，１１ｂは、フレーム４ａ，４ｂにそれぞれ設けられているねじ孔１２ａ，１２ｂ（図２及び図３参照）に螺合できるように構成されている。
【００１５】
後架台５ｂも、上記前架台５ａと同様に、ガイド板２の短辺側を挾むように位置する一対の逆Ｔ字状に構成されたフレーム１３ａ，１３ｂを有している。なお、この後架台５ｂ側の逆Ｔ字状は前架台５ａ側の逆Ｔ字状よりも充分に小さく決められている。そして、各フレーム１３ａ，１３ｂの上部には、支軸１４ａ，１４ｂを介してガイド板２のフレーム４ａ，４ｂがそれぞれ回動自在に取付けられている。
【００１６】
次に無端ベルト１の張設について説明する。この無端ベルト１は、ガイド板２の長手方向の一方側（前架台５ａ側）に設けられたプーリ１５と他方側（後架台５ｂ側）に設けられた駆動プーリ１６との間に掛け渡されている。すなわち、プーリ１５はガイド板２の先端（図２においてガイド板２の左側の端）より少し離れた位置で両フレーム４ａ，４ｂ間に回動自在に設けられているとともに、駆動プーリ１６はガイド板２の後端（図２においてガイド板２の右側の端）より少し離れた位置で両フレーム４ａ，４ｂ間に回転自在に設けられていて、無端ベルト１はこれら両プーリ１５，１６間に掛け渡されている。図２中、１７は両プーリ１５，１６間に掛け渡された無端ベルト１の張り具合を調整するための駆動プーリ１６の近くに設けられた調整プーリであって、両フレーム４ａ，４ｂ間に回転自在に設けられている。
【００１７】
図中、Ｍ（図２参照）は三相誘導モータ等からなるモータであって、後架台５ｂ上に設けられている。そして、このモータＭは回転速度が調整できるように構成されているとともに、Ｖベルト１８を介して駆動プーリ１６を回転駆動できるように構成されている。また、図中、１９ａ，１９ｂは調整ねじであって、フレーム４ａ，４ｂの先端側にそれぞれ設けられていて、プーリ１５の回転軸位置をフレーム４ａ，４ｂの長手方向に沿って調整できるように構成されている。したがって、この調整ねじ１９ａ，１９ｂを回転させることにより無端ベルト１の蛇行を修正することができる。
【００１８】
図中、２０は操作ボックスであって、パイプ材８の中央部分に設けられている。この操作ボックス２０には、無端ベルト１の走行を停止させる停止釦、運転を開始させる運転釦２２、無端ベルト１の走行速度を調整するための速度調整つまみ２３及び無端ベルト１の走行時間を決めるタイマ２４が設けられている。
【００１９】
図５は、本発明に係るランニングマシンａの電気的構成を示すブロック図であり、３０は、図示しない自己保持回路を含んで構成されるスイッチオン回路で、上記運転釦２２を含んで構成されていて、運転釦２２がＯＮされると電源Ｅの電力をインバータからなる回転速度調整回路３１を介してモータＭに供給できるように構成されている。そして、このモータＭに供給されている電力は、タイマ２４を含んで構成されるタイマ回路３２で設定されている時間（この時間は、例えば０〜３０分の間で任意に設定可能である。）だけ継続され、また、この継続時間中においても停止釦２１を含んで構成されるスイッチオフ回路３３からの信号によりモータＭへの電力を停止できるように構成されている。
【００２０】
上記構成からなるランニングマシンａにおいては、運転に先立ち、ガイド板２の角度がランナーに合わせて調整される。図２の０°〜−１０°はその調整角度の範囲を示していて、通常、−７．５°に調整される。ここで０°はガイド板２の上面２ａ、すなわち走行面１ａの角度が水平状態を示し、−１０°はガイド板２の前架台５ａ側が水平板よりも１０°下方へ位置していることを示している。この角度調整は、角度調整ボルト１１ａ，１１ｂを挿入する孔１０を適宜選択することにより容易に行うことができる。なお、この角度調整は、周知のねじ機構等を用いて連続的に行うようにしてもよい。
【００２１】
ガイド板２の角度が０°以上のときは、後述するようにランナーに加わる負担が大きくなり好ましくなく、また、−１０°以上の大きな下り勾配となるときは、ランナーへの負荷が小さくなるけれども、ランナーの膝に加わる負担が増加するので好ましくない。
【００２２】
上述のように、ランナーの走行する方向が下向きとなるようにガイド板２を調整して運転釦２２がオンされると、無端ベルト１は、速度調整つまみ２３で設定した速度で図１の矢印で示される方向に回転駆動される。したがって、走行面１ａ上を走行するランナーは、下り坂を下る状態の走行を行うことができる。このような下り勾配の走行面１ａを有する走行がランナーへの負荷を少なくして大きなトレーニング効果を有することについて、以下に説明する。
【００２３】
図６は、ガイド板２（走行面１ａ）を０°（水平状態）と−７．５°の下り勾配としたときの６３才の男性のランナー（以後、特に断りがないときは同じランナーを指す。）の心拍数（ｂｐｍ）の経時的変化を示したグラフで、無端ベルト１の走行速度、すなわちランナーの走行速度は８３．３ｍ／ｍｉｎである。なお、この走行速度は、高齢者の平均的な歩行速度である。また、図７は、図６を平均化した棒グラフである。この図６から明らかなように、ガイド板２が水平状態の０°（以下、単に０°として説明する。）の場合は、時間の経過とともに、心拍数が増加するが、ガイド板２が−７．５°の下り勾配（以下、単に−７．５°として説明する。）の場合の心拍数の増加はほとんどなく、図７に示されるように、−７．５°の場合は、ランナーが運動をしていない状態の休止時とほぼ同じであることが分かる。これらのことから、−７．５°の場合、ランナーは心拍数を増加させることなく、つまり、ランナーに過度の負荷を掛けることなく運動を行うことができることを意味している。
【００２４】
図８（ａ）は、０°及び−７．５°の場合のランナーの収縮期血圧及び拡張期血圧の経時的変化を示し、同図（ｂ）は、それを平均化した棒グラフである。これら図から明らかなように、−７．５°の収縮期血圧は０°の場合よりも十分に低く、拡張期血圧は両者間に大きな差がないことが分かる。これらのことから、−７．５°の場合、ランナーは心臓等の循環器系に悪影響を与えることなく運動を行うことができることを意味している。
【００２５】
図９（ａ）は、ランナーが運動を休止している状態の足の血流を示し、同図（ｂ）は−７．５°（無端ベルト１の走行速度は８３．３ｍ／ｍｉｎ）の場合の足の血流を示すグラフである。これらグラフから明らかなように、−７．５°の場合は休止時の血流（２ｍｌ／ｍｉｎ）の２倍の血流（４ｍｌ／ｍｉｎ）が有り、十分に運動効果があることが分かる。
【００２６】
なお、図示しないが、ランナーが運動を休止しているときに（走行運動をする前に）採血した血液の色彩は、黒味がかった赤色であったが、−７．５°（無端ベルト１の走行速度は８３．３ｍ／ｍｉｎ）で２０分間走行した後に採血した血液の色彩は、鮮やかな赤色で、血液中に十分に溶存酸素が存在することが確認できた。このことからも−７．５°の場合は、十分な運動効果を有していることが確認できた。また、このような血液の色彩の変化は、大学の長距離の運動選手においても同様であった。
【００２７】
図１０（ａ）は、ランナーが運動を行う前の血液を分析装置（Flow-cytometry）で分析した分析結果であり、同図（ｂ）は、ランナーが−７．５°で８３．３ｍ／ｍｉｎの速度で２０分間運動した後の分析結果である。この分析の結果、運動前後で赤血球数（ＲＢＣ）はほぼ同数であるが、脂肪等の変化によりプラズマパーティクル（Plasma particles）は、運動後が大幅に減少していることが分かる。さらに、図１１（ａ）は、同じランナーの運動前（図１１（ａ）の（１）参照）と運動後（図１１（ａ）の（２）参照）の血液中に含まれる成分を示したもので、この図から明らかなように、遊離脂肪酸（ＴＧ）が減少しており、代謝が促進されていることが分かる。なお、このような現象は、大学の長距離の運動選手の場合も同様である（図１１（ｂ）の（１），（２）参照）。
【００２８】
次に、本発明に係るランニングマシンａの呼吸器系に与える影響について説明する。図１２（ａ）は、ランナーが０°で８３．３ｍ／ｍｉｎの速度で運動したときの酸素消費量の経時的変化を示し、同図（ｂ）は、ランナーが−７．５°で８３．３ｍ／ｍｉｎの速度で運動したときの酸素消費量の経時的変化で、同図（ｃ）は、これらを平均化した棒グラフである。これら図から明らかなように、−７．５°の運動の場合の酸素消費量は８．８ｍｌ／ｋｇ／ｍｉｎで、０°の場合の１２．９ｍｌ／ｋｇ／ｍｉｎの約３０％減となり、エネルギー消費も約１／３となることが分かる。
【００２９】
図１３（ａ）は、ランナーの換気量を示し、同図（ｂ）は、呼吸一回当りの換気量（一回換気量）を示し、共に０°の運動よりも−７．５°の運動の方が少ないことが分かる。さらに、同図（ｃ）は、ランナーの呼吸数を示しており、この呼吸数の場合は、−７．５°の運動の方が０°の運動よりわずかに多くなっている。これは、−７．５°の運動の場合、呼吸数を増加させることで必要とする酸素供給を維持しているからである。
【００３０】
以上の呼吸器系に係る実験からは、−７．５°の運動の場合、０°よりも多少の呼吸数の増加は見られるが、呼吸器系に負担をかけることなくトレーニングを行えることが分かる。
【００３１】
上述のように、本発明に係るランニングマシンａは、ランナーに加わる負荷を少なくして大きな運動効果を与えることができる特徴を有している。したがって、このランニングマシンａは、特に高齢者や循環器等に障害を有していて激しい運動を制限されている者でも安心して運動を行うことができる。
【図面の簡単な説明】
【００３２】
【図１】本発明の一実施の形態に係るランニングマシンの斜視図である。
【図２】本発明の一実施の形態に係るランニングマシンの縦断面図である。
【図３】本発明の一実施の形態に係るランニングマシンの平面図である。
【図４】図３のＸ−Ｘ線断面図である。
【図５】本発明の一実施の形態に係るランニングマシンの電気的構成を示すブロック図である。
【図６】ランナーの心拍数の経時的変化を示すグラフである。
【図７】ランナーの心拍数の変化をまとめた棒グラフである。
【図８】（ａ）はランナーの血圧の経時的変化を示すグラフ、（ｂ）はそれをまとめた棒グラフである。
【図９】（ａ）はランナーの運動前の血流状態を示し、（ｂ）はランナーの運動後の血流状態を示している。
【図１０】血液の分析結果を示す説明図である。
【図１１】血液の分析結果を示す説明図である。
【図１２】（ａ）は０°におけるランナーの経時的酸素消費量を示すグラフ、（ｂ）は−７．５°におけるランナーの経時的酸素消費量を示すグラフ、（ｃ）はこれらを平均化した棒グラフである。
【図１３】（ａ）は０°及び−７．５°のランナーの換気量を示す棒グラフ、（ｂ）は０°及び−７．５°のランナーの一回換気量を示す棒グラフ、（ｃ）は０°及び−７．５°のランナーの呼吸数を示す棒グラフである。
【符号の説明】
【００３３】
１  無端ベルト
１ａ  走行面
２  ガイド板
４ａ，４ｂ  フレーム
５ａ  前架台
５ｂ  後架台
７ａ，７ｂ  フレーム
８ａ  補助手摺
９ａ  板材
１０  孔
１１ａ，１１ｂ  角度調整ボルト
１５  プーリ
１６  駆動プーリ
１７  調整プーリ
２０  操作ボックス
Ｍ  モータ
【図１】
2006158830.tif 000003
【図２】
2006158830.tif 000004
【図３】
2006158830.tif 000005
【図４】
2006158830.tif 000006
【図５】
2006158830.tif 000007
【図６】
2006158830.tif 000008
【図７】
2006158830.tif 000009
【図８】
2006158830.tif 000010
【図９】
2006158830.tif 000011
【図１０】
2006158830.tif 000012
【図１１】
2006158830.tif 000013
【図１２】
2006158830.tif 000014
【図１３】
2006158830.tif 000015
【手続補正書】
【提出日】平成16年12月16日(2004.12.16)
【手続補正１】
【補正対象書類名】特許請求の範囲
【補正対象項目名】請求項２
【補正方法】変更
【補正の内容】
【請求項２】
請求項１に記載のランニングマシンにおいて、走行面の傾斜の角度θは、水平位置を０°としたときに０°＜θ≦１０°であることを特徴とするランニングマシン。
【手続補正２】
【補正対象書類名】明細書
【補正対象項目名】０００６
【補正方法】変更
【補正の内容】
【０００６】
本発明に係るランニングマシンは、上記目的を達成するために、請求項１に記載の発明は、回転駆動される無端ベルトの一部分をランナーが走行する走行面とするランニングマシンにおいて、前記走行面は、前記無端ベルトの移動方向に関して上流側に向って下り坂となるように傾斜していることを特徴としている。
本発明の請求項２に記載のランニングマシンは、走行面の傾斜の角度θが水平位置を０°としたときに０°＜θ≦１０°であることを特徴としている。
本発明の請求項３に記載のランニングマシンは、走行面の傾斜の角度が調整自在に設けられていることを特徴としている。
本発明の請求項４に記載のランニングマシンは、無端ベルトの回転速度が調整可能に構成されていることを特徴としている。
本発明の請求項５に記載のランニングマシンは、無端ベルトの走行面となる部分を載置するガイド板の表面には、その無端ベルトの移動方向に沿って伸びる断面Ｖ字状の溝が設けられていることを特徴としている。
【手続補正３】
【補正対象書類名】明細書
【補正対象項目名】０００７
【補正方法】変更
【補正の内容】
【０００７】
本発明の請求項１に記載のランニングマシンは、無端ベルトの走行面がその無端ベルトの移動方向に関して上流側に向って下り坂となるように傾斜しているので、ランナーに加わる負荷が小さく、それでいてランナーの筋力の増強ないし筋力の回復を図ることができる。したがって、高齢者やリハビリ中の者等のように、身体に過度な負担を掛けられない者でも安心して利用することができる。
本発明の請求項２に記載のランニングマシンにおいて、走行面の傾斜の角度θの範囲は、水平位置を０°としたときに０°＜θ≦１０°であるので、ランナーに加わる負荷を小さい範囲に抑えることができる。
本発明の請求項３に記載のランニングマシンにおいて、走行面の傾斜の角度は、調整自在としているので、走行面の傾斜角度をランナーに容易に合わせることができる。
本発明の請求項４に記載のランニングマシンにおいて、無端ベルトの回転速度は、調整可能に構成されているので、走行面の搬送速度をランナーに容易に合わせることができる。
本発明の請求項５に記載のランニングマシンにおいて、無端ベルトの走行面となる部分を載置するガイド板の表面には、その無端ベルトの移動方向に沿って伸びる断面Ｖ字状の溝を設けたので、抵抗を少なくして無端ベルトを移動させることができる。
【手続補正４】
【補正対象書類名】明細書
【補正対象項目名】００２１
【補正方法】変更
【補正の内容】
【００２１】
ガイド板２の角度θが０°以上のときは、後述するようにランナーに加わる負担が大きくなり好ましくなく、また、−１０°以上の大きな下り勾配となるときは、ランナーへの負荷が小さくなるけれども、ランナーの膝に加わる負担が増加するので好ましくない。